(57)【要約】【課題】鳥類の侵入を確実に阻止できると共に、電源ユニットの劣化を抑制することができる照明装置を提供する。【解決手段】照明装置（１）は、少なくとも側壁に通気孔（１０）を有する筐体（２）と、ＬＥＤおよび該ＬＥＤ（８）に生じる熱を放熱する放熱フィン（７）を含み、筐体２の下面より光源（８）側を外部に臨ませた状態で筐体（２）内部に設置された光源ユニット（５）と、筐体（２）内部における光源ユニット（５）と同じ高さ位置でかつ放熱フィン（７）を通過する風の流れを妨げない位置に設置された電源ユニット（６）と、備える。【選択図】図５
2020198218.tif 000002
【特許請求の範囲】
【請求項１】
少なくとも側壁に通気孔を有する筐体と、
光源および該光源に生じる熱を放熱する前記光源の背面側に設けられた放熱部を含み、前記筐体の下面より前記光源側を外部に臨ませた状態で前記筐体内部に設置された光源ユニットと、
前記筐体内部における前記光源ユニットと同じ高さ位置でかつ前記放熱部を通過する風の流れを妨げない位置に設置された電源ユニットと、を備えることを特徴とする照明装置。
【請求項２】
前記筐体の下面には、前記光源ユニットに対応してスリット状開口部が設けられ、
前記電源ユニットは、前記スリット状開口部の長手方向に対して直交する位置に配置されていることを特徴とする請求項１に記載の照明装置。
【請求項３】
前記筐体は、
側壁に通気孔を有し、上面側が取り付け面に固定され、下面側が開放されている第１筐体と、
前記第１筐体に対して着脱可能で、前記第１筐体に取り付けられることで前記筐体の下面を構成し、かつ、ヒンジにて前記第１筐体に対して回動可能な第２筐体と、を有し、
前記光源ユニットおよび前記電源ユニットは前記第２筐体に設置され、
前記電源ユニットは、外部電線と接続される給電線が引き出されている側が前記ヒンジ側に位置するように配置されていることを特徴とする請求項１又は２に記載の照明装置。
【請求項４】
前記筐体の上面に、取り付け面に２点固定するための一対の固定用孔が形成され、
これら固定用孔の中心を結ぶ線上に、前記電源ユニットの重心が位置することを特徴とする請求項１から３の何れか１項に記載の照明装置。
【発明の詳細な説明】
【技術分野】
【０００１】
本発明は、照明装置に関し、より特定的には、屋外に設置される照明装置に関する。
【背景技術】
【０００２】
一般に、照明装置においては、光源にて生じる熱を外部に効率的に放熱することが重要である。特に、光源として発光ダイオード（ＬＥＤ：Light-Emitting Diode）を用いた照明装置においては、ＬＥＤの温度が一定温度以上の高温に達すると発光効率が大幅に低下するとともにＬＥＤ自体にも劣化が生じ、製品性能および製品寿命に悪影響を与えてしまうことが知られている。
【０００３】
このような傾向は、出力の大きい高輝度ＬＥＤを具備する屋外設置用の照明装置において顕著にみられ、ＬＥＤ光源および光源駆動部から発生する熱を効率的に放熱させることが要求される。
【０００４】
また、軒下等の屋外において、天井面から離れた状態で照明装置を設置した場合、照明装置と天井面との間に形成される空間に鳥類が飛来することがある。鳥類が飛来すると、糞害により照明装置の外観が悪化することに加え、照明装置を構成する構成部材が糞によって腐食されてしまい、構成部材の耐久性が低下することで照明装置の製品寿命が短くなることが懸念される。
【０００５】
そのため、この種の照明装置においては、上述した放熱性に加え、鳥類による糞害を回避するための防鳥性を考慮した構成が成されている。例えば、特許文献１においては、装置外部に光源の熱を放出する放熱フィンを露出させて放熱性を確保しつつ、放熱フィンが存在する空間への鳥類の侵入を防止する鳥類侵入防止手段が設けられている。また、特許文献２においては、同じく装置外部に光源の熱を放出する放熱板を露出させて放熱性を確保しつつ、放熱板の先端部を凹凸形状とし、凸部の先端を先細りさせて、鳥類が忌避する構造としている。
【０００６】
また、従来、屋外設置用の照明装置として、図７、図８に示すように、側壁に通気孔６０が設けられた通気性のある筐体５２を有し、該筐体５２の内部に、光源の熱を放出する放熱フィン１０２等を収容した照明装置５１もある。このような照明装置５１では、天井面等の取り付け面に鳥類が侵入する隙間を空けることなく取り付けることで、鳥類の侵入を確実に防止できる。
【０００７】
ここで、図７、図８を用いて、従来の照明装置５１の構成について簡単に説明する。図７は、従来の照明装置５１の構成を示す図であり、光照射側を示す下面図と側面図を含む。図８は、従来の照明装置５１の構成を示す図であり、取り付け側を示す上面図と正面図を含む。
【０００８】
筐体５２は、下面が開放された箱型の取り付けボックス５２Ａと、該取り付けボックス５２Ａの下面に着脱可能に取り付けられる蓋部５２Ｂと分割されている。蓋部５２Ｂには、放熱フィン５７が一体に設けられた複数の光源ユニット５５と、各光源ユニット５５に給電する電源ユニット５６とが搭載されており、照明装置５２の本体部を構成する。
【０００９】
光源ユニット５５は、複数のＬＥＤ５８が実装されているＬＥＤ基板（図示せず）を備え、このＬＥＤ基板の背面側に放熱フィン５７が設けられている。放熱フィン５７は、複数枚の板状の放熱板が平行に併設されている。蓋部５２Ｂには、光源ユニット５５の設置位置に合わせてユニット開口部６４が複数形成されている。これら各ユニット開口部６４に各光源ユニット５５が、ＬＥＤ５８の実装面をユニット開口部６４より外部に臨ませた状態で取り付けられている。
【００１０】
また、ユニット開口部６４は光源ユニット５５の短手方向の幅よりも一回り大きく形成されており、これにより、光源ユニット５５を取り付けた状態で、光源ユニット５５と蓋部５２Ｂとの間には、スリット状開口部６５が形成されている。
【００１１】
電源ユニット５６は、併設された光源ユニット５５の上方、つまり放熱フィン５７の上方に光源ユニット５５と重ねて設置されている。また、図示してはいないが、光源ユニット５５の数が少ないタイプの照明装置では、光源ユニット５５と同じ高さ位置に、隣り合う光源ユニット５５の間に挟まれるようにして設置されているものもある。
【００１２】
取り付けボックス５２Ａの上面は、取り付け面に取り付けるための外周部を残して中央部が開放され、開放された中央部から取り付け面側の給電線を引き込み可能となっている。残されている外周部には、締結部材であるボルト等を挿入するための固定用孔６２が４箇所形成されている。
【００１３】
このような照明装置５１の天井への取り付けは、取り付けボックス５２Ａと、蓋部５２Ｂに光源ユニット５５等が取り付けられた本体部とを分離して行われる。まずは、取り付けボックス５２Ａを取り付け面に、４箇に設けられた固定用孔６２を介してボルト等で締結固定する。その後、本体部を取り付けボックス５２Ａの下面側から嵌め合わせ、取り付けボックス５２Ａにネジ等で締結固定する。
【００１４】
蓋部５２Ｂの１辺には、取り付けボックス５２Ａ側に係合させることで蓋部５２Ｂを取り付けボックス５２Ａに対して回動可能にするヒンジ（図示せず）が設けられている。このようなヒンジが設けられることで、本体部と取り付けボックス５２Ａとはヒンジを支点とした掛止状態を経て着脱されることとなり、本体部の脱落を防止しつつ作業性よく取り付けることができる。
【先行技術文献】
【特許文献】
【００１５】
【特許文献１】特開２０１４−７８３２９号公報
【特許文献２】特開２０１６−５１６５０号公報
【発明の概要】
【発明が解決しようとする課題】
【００１６】
放熱フィン５７を筐体５２内部に収容した従来の照明装置５１は、取り付け面に鳥類が侵入する隙間を空けることなく取り付けることで、鳥類の侵入を確実に防止できるといった利点がある。
【００１７】
しかしながら、筐体５２の内部において、電源ユニット５６は電源ユニット５５の上方、または、光源ユニット５５と同じ高さ位置に、隣り合う光源ユニット５５の間に挟まれるようにして設置されている。電源ユニット５６をこのような位置に配置すると、放熱フィン５７を通過した高温の風が電源ユニット５６に当たり、ＬＥＤ５８で発生した熱の影響にて電源ユニット５６が高温になり、電源ユニット５６の劣化が促進されるといった課題がある。
【００１８】
本発明の一態様は、鳥類の侵入を確実に阻止できると共に、電源ユニットの劣化を抑制することができる照明装置を提供することを目的とする。
【課題を解決するための手段】
【００１９】
上記の課題を解決するために、本発明の一態様に係る照明装置は、少なくとも側壁に通気孔を有する筐体と、光源および該光源に生じる熱を放熱する前記光源の背面側に設けられた放熱部を含み、前記筐体の下面より前記光源側を外部に臨ませた状態で前記筐体内部に設置された光源ユニットと、前記筐体内部における前記光源ユニットと同じ高さ位置でかつ前記放熱部を通過する風の流れを妨げない位置に設置された電源ユニットと、を備えることを特徴とする。
【発明の効果】
【００２０】
本発明の一態様によれば、鳥類の侵入を確実に阻止できると共に、電源ユニットの劣化を抑制することができる照明装置を提供することができる。
【図面の簡単な説明】
【００２１】
【図１】本発明の実施の形態を示すもので、本発明の実施の形態に係る照明装置の構成を示す図であり、光照射側を示す下面図と側面図とを含む。
【図２】上記照明装置の構成を示す図であり、取り付け側を示す上面図と正面図とを含む。
【図３】上記照明装置の内部構造を示す図であり、図１の下面図におけるＸ−Ｘ線矢視断面図である。
【図４】上記照明装置の内部構造を示す図であり、図１の側面図におけるＹ−Ｙ線矢視断面図である。
【図５】上記照明装置の設置途中の状態を示す斜視図である。
【図６】上記照明装置の設置の一例を示すイメージ図である。
【図７】従来の照明装置の構成を示す図であり、光照射側を示す下面図と側面図を含む。
【図８】上記従来の照明装置の構成を示す図であり、取り付け側を示す上面図と正面図を含む。
【発明を実施するための形態】
【００２２】
以下、本発明の実施の形態について詳細に説明する。
【００２３】
〔実施の形態１〕
図１は、本発明の実施の形態を示すもので、本発明の実施の形態に係る照明装置１の構成を示す図であり、光照射側を示す下面図と側面図とを含む。図２は、上記照明装置１の構成を示す図であり、取り付け側を示す上面図と正面図とを含む。図３は、上記照明装置１の内部構造を示す図であり、図１の下面図におけるＸ−Ｘ線矢視断面図である。図４は、上記照明装置１の内部構造を示す図であり、図１の側面図におけるＹ−Ｙ線矢視断面図である。図５は、上記照明装置１の設置途中の状態を示す斜視図である。
【００２４】
図１、図２に示すように、照明装置１は、少なくとも側壁に複数の通気孔１０が設けられた通気性のある筐体２を有する。なお、図１，２では、長穴形状の通気孔１０が形成されたものを例示しているが、パンチングメタルやエキスパンドメタルのような通気孔が形成されているものでもよく、形状は問わない。
【００２５】
筐体２は、上面側が天井面等の取り付け面に固定され、下面側が開放されている箱型の取り付けボックス（第１筐体）２Ａと、該取り付けボックス２Ａの着脱可能で、取り付けボックス２Ａの下面に取り付けられることで筐体２の下面を構成する蓋部（第２筐体）２Ｂとに分割されている（図５参照）。図２に示すように、取り付けボックス２Ａの上面には、引き込み孔１１、一対の固定用孔１２，１２、および複数の通気孔１３が設けられている。引き込み孔１１は、取り付け面側から延びる外部電線Ｌ４（図５参照）を筐体２の内部に引き込むための孔であり、上面中央部に形成されている。
【００２６】
一対の固定用孔１２，１２は、当該取り付けボックス２Ａ（照明装置１）を取り付け面に締結部材であるボルト２３等（図５参照）で固定するための孔である。一対の固定用孔１２，１２は、左右の中心線Ｍに上に、引き込み孔１１を挟んで対称に設けられている。一対の固定用孔１２，１２の形状は、丸孔形状でもよいが、本実施の形態では、左右の中心線Ｍに沿う方向を長手方向とする長穴形状に形成されている。一対の固定用孔１２，１２を長穴形状とすることで、ボルト２３，２３の間隔に幅を持たせることができる。
【００２７】
通気孔１３は、側壁に設けられた通気孔１０と同様、筐体２の内部に風を引き込んで通気性を良好にするために設けられている。なお、図２の上面図において、引き込み孔１１および一対の固定用孔１２，１２以外のスリット状の孔は全て通気孔１３である。
【００２８】
一方、蓋部２Ｂの上面、つまり、取り付けボックス２Ａに取り付けた状態で内側となる面には、図３〜図５に示すように、複数の光源ユニット５と複数の光源ユニット５に給電する電源ユニット６とが設置されている。本実施の形態では、光源ユニット５および電源ユニット６は共に一方に長い長方形の形状をなし、３個の光源ユニット５が短手方向を左右方向として、蓋部２Ｂのほぼ中央部に併設されている。なお、以下、蓋部２Ｂに複数の光源ユニット５と電源ユニット６とが設置された状態を本体部と称する。
【００２９】
光源ユニット５は、複数のＬＥＤ８（図１参照）が実装されているＬＥＤ基板（図示せず）を備え、該ＬＥＤ基板の背面側に、ＬＥＤ８で発生した熱（排熱）を放出するための放熱フィン７が設けられている。ＬＥＤ基板と放熱フィン７とはユニット化されており、ＬＥＤ基板と放熱フィン７とで光源ユニット５を構成している。
【００３０】
放熱フィン７は、ＬＥＤ基板の裏面に取り付けられる基台７ｂを有し、基台７ｂの上面に複数枚の板状の放熱板７ａが平行に併設されている。複数枚の放熱板７ａは、光源ユニット５の短手方向に平行に設けられ、光源ユニット５の長手方向に併設されている。このようなフィン構成では、放熱フィン７を通過した風は、光源ユニット５の短手方向に沿って流れる。そして、これら３つの光源ユニット５は、上流側の位置する放熱フィン７を通過した風の流れを下流側に位置する放熱フィン７が妨げないように、放熱フィン７の位置を合わせて配設されている。図４に両矢印Ｄにて、放熱フィン７を通過する風の流れを示す。
【００３１】
また、光源ユニット５において、基台７ｂの長手方向中央部には放熱板７ａが一部形成されていない部分があり、この部分からＬＥＤ８に給電するための給電線Ｌ１が引き出されている。
【００３２】
このような光源ユニット５は、蓋部２Ｂに設けられたユニット開口部１４にＬＥＤ８の実装面を外部に臨ませた状態で、固定部１６にネジ固定されている。蓋部２Ｂには、光源ユニット５の設置位置に合わせてユニット開口部１４とＬ字状に折り曲げ形成された固定部１６とが複数形成されている。
【００３３】
ユニット開口部１４における短手方向の幅は、光源ユニット５の短手方向の幅よりも一回り大きく形成されている。これにより、光源ユニット５を取り付けた状態で、光源ユニット５と蓋部２Ｂとの間には、光源ユニット５の長手方向に沿って延びるスリット状開口部１５が形成されている。スリット状開口部１５は、光源ユニット５の両側に設けられている。スリット状開口部１５が形成されることで、照明装置１の下面からも外気を内部に取り込むことが可能となり、光源ユニット５の長手方向に沿った側面に、下方から上方に抜ける風の流れを作り出すことができる。なお、図４においては、スリット状開口部１５を強調して太線で示している。
【００３４】
電源ユニット６は、蓋部２Ｂの上面に、光源ユニット５と同じ高さ位置であって、かつ、図４に両矢印Ｄにて示した放熱フィン７を通過する風の流れを妨げない位置に配置されている。具体的には、本実施の形態では、電源ユニット６の長手方向が、光源ユニット５の長手方向と直交する位置に配設されている。このような位置関係で電源ユニット６を配置することで、電源ユニット６を光源ユニット５と同じ高さ位置に取り付けた場合でも、電源ユニット６に放熱フィン７を通過した高温の風が当たることを回避できる。
【００３５】
また、電源ユニット６の長手方向の一方の端部からは、光源ユニット５に給電するため出力側給電線Ｌ２が引き出されており、他方の端部からは、前述した取り付け面側から延びる外部電線Ｌ４（図５参照）と接続される入力側給電線Ｌ３が引き出されている。出力側給電線Ｌ２の先端部にはコネクタ２０が設けられおり、該コネクタ２０に、各光源ユニット５から引き出された給電線Ｌ１が接続されている。
【００３６】
また、蓋部２Ｂの１辺には、取り付けボックス２Ａの下面の一辺の受部２６に掛止させることで、蓋部２Ｂを取り付けボックス２Ａに対して回動可能に支持するヒンジ２５が設けられている（図３参照）。
【００３７】
このような照明装置１の取り付け面への取り付けは、取り付けボックス２Ａと、蓋部２Ｂに光源ユニット５５等が取り付けられた本体部とを分離して行われる。まずは、図５に示すように、取り付けボックス２Ａを、取り付け面に一対の固定用孔１２を介してボルト２３等で締結固定する。その後、本体部における蓋部２Ｂのヒンジ２５を取り付けボックス２Ａの受部２６に掛止させて回動可能に支持させる。そして、その状態で、電源ユニット６の入力側給電線Ｌ３を引き込み孔１１から引き込んだ外部電線Ｌ４と接続する。入力側給電線Ｌ３と外部電線Ｌ４との接続が完了すると、本体部を持ち上げるように回動させて取り付けボックス２Ａの下面を本体部で塞ぎ、そのあとネジ等で締結固定する。
【００３８】
上述したように、ヒンジが設けられることで、本体部と取り付けボックス２Ａとはヒンジ２５を支点とした掛止状態を経て着脱されることとなり、本体部の脱落を防止しつつ作業性よく取り付けることができる。
【００３９】
図６は、上記照明装置１の設置の一例を示すイメージ図である。図６に示すように、ガソリンステーション等の屋外設備の取り付け面２８は、平坦ではなく波板構造となっていることがある。図７、図８に示した従来の照明装置５１では、取り付け面２８の波のスパンが固定用孔６２の間隔と合わない場合施工できないが、照明装置１の場合、一対の固定用孔１２，１２を用いて２点ボルト施工が可能であるので、波板構造の取り付け面２８にも問題なく取り付けることができる。そして、筐体２を備えているので、取り付け面２８に鳥類が侵入する隙間を空けることなく取り付けることで、鳥類の侵入を確実に防止できる。なお、従来の照明装置５１では、上面の中央部が開放されていたため、波板構造の取り付け面２８の場合、取り付け面２８と照明装置５１の上面との間に鳥類が侵入する隙間が生じる恐れがあるが、上面を完全に塞いでいるので、そのような問題も一切ない。
【００４０】
〔実施の形態２〕
本発明の他の実施形態について、以下に説明する。なお、説明の便宜上、上記実施形態にて説明した部材と同じ機能を有する部材については、同じ符号を付記し、その説明を繰り返さない。
【００４１】
ここでは、実施の形態１の説明で用いた図４を用いて、本実施の形態の構成について説明する。なお、本実施の形態の構成として以下に説明する構成は、実施の形態１の照明装置１には具備されていなくてもよい。
【００４２】
図４に示すように、蓋部２Ｂの上面には、光源ユニット５を取り付けるユニット開口部１４が設けられており、光源ユニット５との間にスリット状開口部１５が複数形成されている。このようなスリット状開口部１５が形成されることで、照明装置１の下面からも外気を内部に取り込むことが可能となり、光源ユニット５の長手方向に沿った側面に、下方から上方に抜ける風の流れを作り出すことができる。
【００４３】
しかしながら、光源ユニット５に沿って下方から上方に抜ける風も、電源ユニット６に沿って流れることで熱を含み高温となるため、電源ユニット６に当たるとその熱にて電源ユニット６の劣化が促進される。そこで、電源ユニット６は、このような光源ユニット５に沿って下方から上方に抜ける風が当たらない位置に配置されている。具体的には、本実施の形態では、電源ユニット６の長手方向が、光源ユニット５の長手方向と直交する位置に配設されている。このような位置関係で電源ユニット６を配置することで、スリット状開口部１５から入り込み上方へと抜ける風の流れの影響を最も小さくできる。さらに、スリット状開口部１５を設けた場合、スリット状開口部１５の長手方向に沿って蓋部２Ｂが変形しやすくなるが、このような位置関係で電源ユニット６を配置することで、蓋部２Ｂの補強板として機能し、本体部の剛性を高めることができる。
【００４４】
〔実施の形態３〕
本発明の他の実施形態について、以下に説明する。なお、説明の便宜上、上記実施形態にて説明した部材と同じ機能を有する部材については、同じ符号を付記し、その説明を繰り返さない。
【００４５】
ここでは、実施の形態１の説明で用いた図４、図５を用いて、本実施の形態の構成について説明する。なお、本実施の形態の構成として以下に説明する構成は、実施の形態１の照明装置１には具備されていなくてもよい。
【００４６】
図４、図５に示すように、電源ユニット６は、取り付け面側から延びる外部電線Ｌ４と接続される入力側給電線Ｌ３が、ヒンジ２５が設けられた回動支点側に位置するように配置されている。
【００４７】
このように、入力側給電線Ｌ３が引き出されている端部側が、ヒンジ２５が設けられた回動支点側に位置するように設置することで、入力側給電線Ｌ３の線長を短くすることができる。これにより、本体部を持ち上げるように回動させて取り付けボックス２Ａの下面を本体部で塞ぐ際に、余分な入力側給電線Ｌ３が取り付けボックス２Ａと本体部との間に噛み込むことがなく、照明装置１の取り付け作業の作業性を向上させることができる。
【００４８】
〔実施の形態４〕
本発明の他の実施形態について、以下に説明する。なお、説明の便宜上、上記実施形態にて説明した部材と同じ機能を有する部材については、同じ符号を付記し、その説明を繰り返さない。
【００４９】
ここでは、実施の形態１の説明で用いた図２、図６を用いて、本実施の形態の構成について説明する。なお、本実施の形態の構成として以下に説明する構成は、実施の形態１の照明装置１には具備されていなくてもよい。
【００５０】
光源ユニット５は筐体２の中央部に配置されるため重量バランスに問題はないが、電源ユニット６は、光源ユニット５が配置されている中央部を避けてその周囲に配置されるため、必然的に電源ユニット６が配置された側が重くなる。特に、筐体２の材質にアルミニウム等を選択して軽量化を図った場合、重心バランスに問題があると歪みやすくなる。
【００５１】
図２に示すように、照明装置１においては、電源ユニット６は、一対の固定用孔１２，１２の真ん中を通る左右の中心線Ｍに対して対称となり、電源ユニット６の重心が左右の中心線Ｍに上に位置するように配置されている。このように電源ユニット６を配置することで、図６に示すように、照明装置１を２点ボルト施工した場合もで、重心バランスを維持することができる。
【００５２】
また、筐体２の材質にアルミニウム等を選択して軽量化を図った場合、一対の固定用孔１２，１２が設けられている左右の中心線Ｍに沿った中央部分に、ＳＵＳ等からなる剛性の高い補強板を設けることが好ましい。
【００５３】
〔まとめ〕
本発明の態様１に係る照明装置は、少なくとも側壁に通気孔１０を有する筐体２と、光源（ＬＥＤ８）および該光源に生じる熱を放熱する前記光源の背面側に設けられた放熱部（放熱フィン７）を含み、前記筐体２の下面より前記光源側を外部に臨ませた状態で前記筐体２内部に設置された光源ユニット５と、前記筐体２内部における前記光源ユニット５と同じ高さ位置でかつ前記放熱部を通過する風の流れを妨げない位置に設置された電源ユニット６と、を備えることを特徴とする。
【００５４】
本発明の態様２に係る照明装置は、さらに、上記態様１において、前記筐体２の下面には、前記光源ユニット５に対応してスリット状開口部１５が設けられ、前記電源ユニット６は、前記スリット状開口部１５の長手方向に対して直交する位置に配置されている構成とすることもできる。
【００５５】
本発明の態様３に係る照明装置は、さらに、上記態様１又は２において、前記筐体２は、側壁に通気孔１０を有し、上面側が取り付け面に固定され、下面側が開放されている第１筐体（取り付けボックス２Ａ）と、前記第１筐体に対して着脱可能で、前記第１筐体に取り付けられることで前記筐体２の下面を構成し、かつ、ヒンジ２５にて前記第１筐体に対して回動可能な第２筐体（蓋部２Ｂ）と、を有し、前記光源ユニット５および前記電源ユニット６は前記第２筐体に設置され、前記電源ユニット６は、外部電線Ｌ４と接続される給電線（入力側給電線Ｌ３）が引き出されている側が前記ヒンジ２５側に位置するように配置されている構成とすることもできる。
【００５６】
本発明の態様４に係る照明装置は、さらに、上記態様１、２又は３において、前記筐体２の上面に、取り付け面に２点固定するための一対の固定用孔１２，１２が形成され、これら固定用孔１２，１２の中心を結ぶ線（中心線Ｍ）上に、前記電源ユニット６の重心が位置する構成とすることもできる。
【００５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５８】
１  照明装置
２  筐体
２Ａ  取り付けボックス（第１筐体）
２Ｂ  蓋部（第２筐体）
５  光源ユニット
６  電源ユニット
７  放熱フィン（放熱部）
７ａ  放熱板
７ｂ  基台
８  ＬＥＤ（光源）
１０、１３  通気孔
１２  固定用孔
１４  ユニット開口部
１５  スリット状開口部
１６  固定部
２０  コネクタ
２３  ボルト
２５  ヒンジ
２６  受部
Ｌ１  給電線
Ｌ２  出力側給電線
Ｌ３  入力側給電線
Ｌ４  外部電線
【図１】
2020198218.tif 000003
【図２】
2020198218.tif 000004
【図３】
2020198218.tif 000005
【図４】
2020198218.tif 000006
【図５】
2020198218.tif 000007
【図６】
2020198218.tif 000008
【図７】
2020198218.tif 000009
【図８】
2020198218.tif 000010